(57)【要約】【課題】精米機構１０を支持するケーシング２０と、精米機構１０から排出された精白米を受ける米容器３０ａとを備え、米容器３０ａをケーシング２０内に抜差し可能に設け、米容器３０ａの側周壁の抜き方向側の一端壁３１ａをケーシング２０の差込み口２２より露出させ、一端壁３１ａと差し方向側の他端壁３２ａとの間の側壁にこの他端壁３２ａよりも容器外側に膨らむ袋部４０ａを形成し、この袋部４０ａの外壁面を差込み口２２の側端縁２２ａに対し差し方向から合致するように形成した家庭用精米機において、米容器３０ａが他端壁３２ａ側を下げられながら袋部４０ａ側に倒れるように返された場合でも、米容器３０ａ内の精白米が袋部４０ａから外に落下し難くする。【解決手段】袋部４０ａと他端壁３２ａとの間の側壁内面を平坦面４３ａとし、この平坦面４３ａに連続する袋部４０ａの内壁面を抜き方向に外傾する傾斜面４４ａとしたことを特徴とする。【選択図】図１
2006334464.tif 000002
【特許請求の範囲】
【請求項１】
精米機構を支持するケーシングと、前記精米機構から排出された精白米を受ける米容器とを備え、前記米容器を前記ケーシング内に抜差し可能に設け、前記米容器の側周壁の抜き方向側の一端壁を前記ケーシングの差込み口より露出させ、前記一端壁と差し方向側の他端壁との間の側壁にこの他端壁よりも容器外側に膨らむ袋部を形成し、この袋部の外壁面を前記差込み口の側端縁に対し差し方向から合致するように形成した家庭用精米機において、前記袋部と前記他端壁との間の側壁内面を平坦面とし、この平坦面に連続する前記袋部の内壁面を抜き方向に外傾する傾斜面としたことを特徴とする家庭用精米機。
【請求項２】
前記傾斜面の外傾角が、上方に進むに連れて緩くなる請求項１に記載の家庭用精米機。
【請求項３】
前記袋部のうち、前記他端壁との間の側壁に連続する部分を、抜き方向に外傾する傾斜壁とし、この傾斜壁の内壁面を前記傾斜面とし、前記傾斜壁の外壁面の終端辺を前記差込み口の側端縁内側に合致するように形成した請求項１または２に記載の家庭用精米機。
【請求項４】
前記ケーシングの補強部を、前記差込み口の側端縁よりも差し方向側に寄せて位置させた請求項３に記載の家庭用精米機。
【請求項５】
前記精米機構から排出された糠を受ける糠容器を備え、前記糠容器を前記ケーシング内に抜差し可能に設け、前記糠容器の側周壁の抜き方向側の一端壁を前記ケーシングの差込み口より露出させ、前記一端壁と差し方向側の他端壁との間の側壁にこの他端壁よりも容器外側に膨らむ袋部を形成し、この袋部の外壁面を前記差込み口の側端縁に対し差し方向から合致するように形成し、前記袋部と前記他端壁との間の側壁内面を平坦面とし、この平坦面に連続する前記袋部の内壁面を抜き方向に外傾する傾斜面とした請求項１から４のいずれかに記載の家庭用精米機。
【発明の詳細な説明】
【技術分野】
【０００１】
この発明は、精米機構を支持するケーシングと、精米機構から排出された精白米を受ける米容器とを備えた家庭用精米機に関する。
【背景技術】
【０００２】
通常、家庭用精米機では、精米機構から精白米と糠とが分離されて排出され、それぞれが精米機構の下方に設置された米容器と糠容器に落下するようになっている。
【０００３】
このような家庭用精米機において、従来、図８（ａ）に示すように、精白米を受ける米容器８１と、糠を受ける糠容器８２とをケーシング８３内に抜差し可能に設け、米容器８１、糠容器８２の側周壁の抜き方向側の一端壁８１ａ、８２ａをケーシング８３の差込み口８４より露出させ、一端壁８１ａ、８２ａとこれに臨む他端壁８１ｂ、８２ｂ間の右側壁８１ｃ及び左側壁８２ｃに他端壁８１ｂ、８２ｂよりも容器外側に膨らむ袋部８１ｄ、８２ｄを形成し、この袋部８１ｄ、８２ｄの外壁面を差込み口８４の側端縁８４ａに対し差し方向から合致するように形成したものがあった。なお、米容器８１と糠容器８２は、対称構造となっているため、以下、米容器８１に基づいて説明する。
【０００４】
ケーシング８３は、金属板に補強部を設けたものからなり、精米機構（図示省略）を支持するのに十分な強度を有するものとなっている。差込み口８４の側端縁８４ａは、差込み口８４の周囲の剛性を確保するため、図８（ｂ）に示すように、横断面形状が折り曲げられており、ケーシング内側に突出している。このため、袋部８１ｄには、側端縁８４ａの幅長に加えて抜差し隙間の余裕をもたせた分だけ、側壁８１ｃに直交する膨出壁８１ｅが形成されている。米容器８１がケーシング８３内に差し込まれた状態で、対応する側端縁８４ａおよび抜差し隙間が袋部８１ｄにより目隠しされる。このように、袋部８１ｄを米容器８１に形成するのは、製品の外観を良好にするためである。
【０００５】
精米機構の運転が終了すると、使用者により、米容器８１がケーシング８３から抜き出され、米容器８１内の精白米が米櫃８５等に移される。この際、使用者は、通常、米容器８１の一端壁８１ａ側を利き腕で掴み、図８（ｃ）に示すように、他端壁８１ｂ側を徐々に下げながら米容器８１をひっくり返す。
【発明の開示】
【発明が解決しようとする課題】
【０００６】
しかしながら、図８に示すような米容器８１の構造では、左利きの使用者は、手首を右回りに返す、つまり、米容器８１を、他端壁８１ｂ側を徐々に下げながら袋部８１ｄ側に倒すようにひっくり返さざるを得ない。このような場合、袋部８１ｄに入り込んだ精白米は、側壁８１ｃの内壁面に連続する袋部８１ｄの内壁面が側壁８１ｃに直交する膨出壁８１ｅの内壁面からなるため、膨出壁８１ｅの内壁面を乗り越えることができず、そのまま膨出壁８１ｅの内壁面に沿って容器上端から落下し、米櫃８５の外にこぼれ易いという問題があった。なお、糠容器８２の場合、右利きの使用者の場合に同様の問題が生じる。
【０００７】
そこで、この発明の目的は、上記の問題点に鑑み、精米機構を支持するケーシングと、前記精米機構から排出された精白米を受ける米容器とを備え、前記米容器を前記ケーシング内に抜差し可能に設け、前記米容器の側周壁の抜き方向側の一端壁を前記ケーシングの差込み口より露出させ、前記一端壁と差し方向側の他端壁との間の側壁にこの他端壁よりも容器外側に膨らむ袋部を形成し、この袋部の外壁面を前記差込み口の側端縁に対し差し方向から合致するように形成した家庭用精米機において、米容器が他端壁側を徐々に下げられながら袋部側に倒れるようにひっくり返された場合でも、米容器内の精白米が袋部から外に落下し難い家庭用精米機を提供することにある。
【課題を解決するための手段】
【０００８】
上記の目的を達成するため、この発明は、精米機構を支持するケーシングと、前記精米機構から排出された精白米を受ける米容器とを備え、前記米容器を前記ケーシング内に抜差し可能に設け、前記米容器の側周壁の抜き方向側の一端壁を前記ケーシングの差込み口より露出させ、前記一端壁と差し方向側の他端壁との間の側壁にこの他端壁よりも容器外側に膨らむ袋部を形成し、この袋部の外壁面を前記差込み口の側端縁に対し差し方向から合致するように形成した家庭用精米機において、前記袋部と前記他端壁との間の側壁内面を平坦面とし、この平坦面に連続する前記袋部の内壁面を抜き方向に外傾する傾斜面としたことを特徴とする。
【０００９】
上記構成によれば、前記袋部と前記他端壁との間の側壁内面を平坦面とし、この平坦面に連続する前記袋部の内壁面を抜き方向に外傾する傾斜面としたので、側壁内面は、袋部から他端壁側に向けて内側に傾く傾斜面と平坦面とが連続するようになる。したがって、米容器が他端壁側を徐々に下げられながら袋部側に倒れるようにひっくり返された場合でも、袋部に入り込んだ精白米は、傾斜面上を他端壁側に向けて乗り越え、そのまま平坦面上を斜めに横滑りするように流れる。このため、米容器内の精白米が袋部から外に落下し難くなる。
【００１０】
ここで、前記精米機構の方式は、特に限定されない。前記傾斜面は、直平面状に限定されず、緩やかな曲面状、例えば、円弧面や湾曲面も含む概念である。前記傾斜面の外傾角は、平坦面に対し４５度以下にすることが好ましい。なお、外傾角は、横断面視において傾斜面の両端を結んだ直線と平坦面とがなす交差角により求められる。
【００１１】
この発明の構成において、前記傾斜面の外傾角が上方に進むに連れて緩くなる構成を採用すれば、傾斜面を乗り越える容器下側の精白米は、斜めに捻られるように平坦面側に流れやすくなる。このため、米容器内の精白米が袋部から外により落下し難くなる。
【００１２】
上記構成においては、袋部の外壁面は、袋部の外壁面を前記差込み口の側端縁に対し差し方向から合致する形状であればよく、特に限定されない。しかしながら、袋部の内壁面に傾斜面を形成するため、袋部の外壁面と差込み口の側端縁とを側壁外面に直交する平面で合致させると、袋部に無駄肉が生じる。
【００１３】
そこで、前記袋部のうち、前記他端壁との間の側壁に連続する部分を、抜き方向に外傾する傾斜壁とし、この傾斜壁の内壁面を前記傾斜面とし、前記傾斜壁の外壁面の終端辺を前記差込み口の側端縁内側に合致するように形成した構成を採用すれば、袋部に無駄肉が生じない。
【００１４】
しかしながら、前記傾斜壁の外壁面の終端辺を前記差込み口の側端縁内側に合致するように形成した構成では、差込み口の側端縁を折り曲げ状としたり、差込み口の周囲に補強枠を取り付けたりすることによりケーシングの補強部を設けると、この補強部を避けるため、傾斜壁の外傾角を緩くすることができない。
【００１５】
そこで、前記ケーシングの補強部を、前記差込み口の側端縁よりも差し方向側に寄せて位置させた構成を採用することがより好ましい。この構成によれば、ケーシングの補強部が差込み口の側端縁から差し方向側に遠ざかる分、傾斜壁の外傾角を緩くすることが可能になる。その結果、傾斜壁の内壁面からなる前記傾斜面の外傾角も緩くすることができる。
【００１６】
この発明は、前記精米機構から排出された糠を受ける糠容器を備えた構成の家庭用精米機に採用することもできる。具体的には、前記糠容器を前記ケーシング内に抜差し可能に設け、前記糠容器の側周壁の抜き方向側の一端壁を前記ケーシングの差込み口より露出させ、前記一端壁と差し方向側の他端壁との間の側壁にこの他端壁よりも容器外側に膨らむ袋部を形成し、この袋部の外壁面を前記差込み口の側端縁に対し差し方向から合致するように形成し、前記袋部と前記他端壁との間の側壁内面を平坦面とし、この平坦面に連続する前記袋部の内壁面を抜き方向に外傾する傾斜面とした構成にすればよい。なお、前記米容器に係る好ましい構成を前記糠容器にも適用することが好ましいのは、勿論である。
【発明の効果】
【００１７】
上述のように、この発明の家庭用精米機によれば、米容器が他端壁側を徐々に下げられながら袋部側に倒れるようにひっくり返された場合でも、袋部に入り込んだ精白米は、傾斜面上を他端壁側に向けて乗り越え、そのまま平坦面上を斜めに横滑りするように流れるので、米容器内の精白米が袋部から米櫃等の外に落下し難くすることができる。
【発明を実施するための最良の形態】
【００１８】
以下、この発明の最良の実施形態に係る家庭用精米機を添付図面に基づいて説明する。図１は、実施形態に係る家庭用精米機の要部横断面図である。図２は、実施形態に係る家庭用精米機の全体構成図である。
【００１９】
図１、図２に示すように、実施形態に係る家庭用精米機は、精米機構１０を支持するケーシング２０と、精米機構１０から排出された精白米を受ける米容器３０ａ、精米機構１０から排出された糠を受ける糠容器３０ｂとを備える。
【００２０】
精米機構１０は、一回通し方式のものである。勿論、精米機構１０には、循環方式のものを採用することもできる。具体的には、精米機構１０は、精米室１１に挿入された搗精ロール１２と、搗精ロール１２に隙間をもって嵌合された筒状の精米スクリーン１３と、ケーシング２０の内部の機台２１上に一定の勾配をもって支持されたモータ１４とを備える。
【００２１】
搗精ロール１２の後端部は、モータ１４の回転軸１５に取り付けられている。また、搗精ロール１２は、根元部にピッチの細かい螺旋でなる順送り部が設けられると共に、先端部にはピッチの粗い反対螺旋でなる逆送り部が設けられている。
【００２２】
精米スクリーン１３は、糠排出用の多数のスリットが設けられている。精米スクリーン１３の入口は、ケーシング２０の上部に設けられたホッパー１６の下端排出口１６ａに連通している。精米スクリーン１３の出口は精米室１１の端板１１ａに挿通され外部に開放されている。端板１１ａは、スナップ止め片により精米室１１に係脱自在とされている。
【００２３】
精米スクリーン１３の出口には抵抗板１７が所要の押圧力で押し当てられている。抵抗板１７は、精米室１１の上部に設けられた調圧装置１８を介してケーシング２０に支持されている。精米スクリーン１３の出口には、端板１１ａに取り付けられた排出シュート１９が設けられている。前記の精米室１１の下端部は開放されており、その開放部分に糠ガイド１１ｂが形成されている。
【００２４】
ケーシング２０は、樹脂製のものであり、その側周部のうち精米室１１の下方は、前方に開放されている。この開放空間は、図２、図３に示すように、米容器３０ａと糠容器３０ｂが排出シュート１９、糠ガイド１１ｂの下方に抜差し可能に併置される差込み口２２となっている。差込み口２２の側端縁２２ａと下端縁２２ｂは、図１から図３に示すように、ケーシング２０の前方下部において前方上部よりも後方側（米容器３０ａと糠容器３０ｂの差し方向側）に位置している。差込み口２２の最奥部は、搗精ロール１２が挿通された仕切り板２３により機台２１との間が隔離されている。差込み口２２を形成する側板部２４の内面には、ケーシング２０の補強部２５が側端縁２２ａよりも後方側に寄せて位置されている。
【００２５】
補強部２５は、側板部２４に一体形成された柱状リブからなり、その基部には、ケーシング２０の底板部を形成する底部材を取り付けるためのねじボス部２６が形成されている。
【００２６】
米容器３０ａと糠容器３０ｂは、上端開放状とされ、その側周壁は全体としてやや上広がりに形成されている。米容器３０ａと糠容器３０ｂは、左右対称構造となっているため、以下、米容器３０ａに基づいて説明し、糠容器３０ｂについては、図１中に米容器３０ａに対応する符号を付すのみとする。
【００２７】
米容器３０ａは、図１、図４、図５に示すように、全体として概ね矩形の有底筒状に形成されており、前後方向（抜差し方向）に長さを有し、その全長が、ケーシング２０の差込み口２２内に差し込まれた状態で、側周壁のうち前方側（抜き方向側）の一端壁３１ａが差込み口２２より露出し、後方側の他端壁３２ａが仕切り板２３に形成されたＬ状部２３ａの下方に位置するように設けられている。ここで、一端壁３１ａは、米容器３０ａの側周壁のうち容器前端を含む一面の構成部であり、他端壁３２ａは、米容器３０ａの側周壁のうち容器後端を含む一面の構成部である。
【００２８】
一端壁３１ａと他端壁３２ａとの間は、糠容器３０ｂに臨む左側壁３３ａと、差込み口２２の側端縁２２ａに臨む側の右側壁３４ａとで連続している。左側壁３３ａは、図１、図３に示すように、ケーシング２０の差込み口２２の内底面中央に形成された中央ガイド部２２ｃにより前後方向に案内され、右側壁３４ａは、差込み口２２の内底面の補強部２５よりも中央寄りに形成された案内壁２２ｄにより前後方向に案内される。
【００２９】
米容器３０ａの外底面には、図１、図６に示すように、差込み口２２の内底面に形成された台形状の突出部２２ｅに嵌合する凹部３５ａが形成されている。米容器３０ａの差込み時、他端壁３２ａの下方が突出部２２ｅを乗り越えて凹部３５ａが嵌合すると、米容器３０ａは、この嵌合により前後方向に位置決めされると共に、中央ガイド部２２ｃと案内壁２２ｄとにより左右方向に位置決めされ、差込み状態となる。
【００３０】
なお、中央ガイド部２２ｃの右側面には、図１、図３、図４に示すように、半円弧状のリブ部２２ｆが突出しており、米容器３０ａの差込み時、リブ部２２ｆが左側壁３３ａの外壁面に形成された凹入部３６ａに嵌合するようになっている。この嵌合により使用者に差込み完了のクリック感が与えられる。
【００３１】
米容器３０ａの差込み状態で、一端壁３１ａの上端は、図６に示すように、ケーシング２０の前方上部の下端縁２７に対し上下に合致し、左右側壁３３ａ、３４ａの上端が後方に向けて精米室１１の勾配に一致するように沿い、他端壁３２ａの上端が仕切り板２３のＬ状部２３ａに概ね水平に臨むようになっている。
【００３２】
ここで、Ｌ状部２３ａの高さＨは、差込み口２２の内底面を基準として、他端壁３２ａの高さｈ１と、差込み口２２の内底面に形成された突出部２２ｅの高さｈ２との合計高さに一致されている。更に、Ｌ状部２３ａの突き出し幅Ｗは、米容器３０ａが突出部２２ｅを乗り越える時に他端壁３２ａの上端が接触するように設けられている（このときの米容器３０ａを図６中に２点鎖線で示す）。これにより、米容器３０ａは、Ｌ状部２３ａに他端壁３２ａの上端が接触させた状態で水平に引き抜かない限り抜き取ることができない。このため、ケーシング２０の移動時などにおける米容器３０ａの脱落が防止される。
【００３３】
差込み口２２の側端縁２２ａに臨む側の右側壁３４ａには、図１、図５に示すように、他端壁３２ａよりも容器外側に膨らむ袋部４０ａが形成されている。具体的には、右側壁３４ａは、他端壁３２ａからねじボス部２６の側方までの間が平坦に形成されており、ここから袋部４０ａが略Ｊ字状に膨らんでいる。
【００３４】
袋部４０ａのうち、他端壁３２ａとの間の側壁に連続する部分は、ねじボス部２６の側方から前向きに外傾する傾斜壁４１ａとされている。傾斜壁４１ａの外壁面の終端辺４２ａは、差込み口２２の側端縁２２ａの内側に合致するように形成されている。袋部４０ａのうち、終端辺４２ａから前方側の部分は、一端壁３１ａと一連に形成されており、この部分の肉厚は、側端縁２２ａの肉厚に一致している。これにより、袋部４０ａの外壁面が差込み口２２の側端縁２２ａに対し前方から合致するようになっている。
【００３５】
なお、米容器３０ａの外底面は、一端壁３１ａから差込み口２２の下端縁２２ｂまでの間がケーシング２０の外底面と同一面を構成するように下方に膨出しており、下端縁２２ｂに対し前方から合致するように形成されている。
【００３６】
右側壁３４ａのうち、他端壁３２ａからねじボス部２６の側方までの間の側壁内面は、平坦面４３ａとされており、この平坦面４３ａに連続する前記傾斜壁４１ａの内壁面は抜き方向に外傾する傾斜面４４ａとされている。この傾斜面４４ａの外傾角は、傾斜壁４１ａを上方向に捻りをもって形成することにより、上方に進むに連れて緩くなっている。この実施形態では、米容器３０ａの内底面との連続部における外傾角αが４５度程度とされ、米容器３０ａの上端における外傾角βが３０度程度とされている。このように前記外傾角を４５度から３０度というように緩く設定することを可能としたのは、ケーシング２０の補強部２５やねじボス部２６が差込み口２２の側端縁２２ａよりも後方向側に寄せて位置しており、傾斜壁４１ａの外傾スペースを確保したためである。
【００３７】
上記構成においては、ホッパー１６から精米室に送り込まれた玄米が、搗精ロール１２と精米スクリーン１３との隙間において米粒相互の摩擦により精米される。精白米は精米スクリーン１３の前端に設けられた抵抗板１７を押し開けて外部に飛び出し、排出シュート１９を通って差込み口２２に設置された米容器３０ａ内に落下する。その時発生した糠は、精米スクリーン１３に設けられた多数のスリットを通して排出され、糠ガイド１１ｂから差込み口２２に設置された糠容器３０ｂ内に落下する（図２参照）。
【００３８】
精米が終了すると、使用者は、米容器３０ａを差込み口２２から水平に引き出して内部の精白米を米櫃等に移す。この際、図７（ａ）、（ｂ）に示すように、米容器３０ａが使用者により他端壁３２ａ側を徐々に下げられながら袋部４０ａ側に倒れるようにひっくり返された場合でも、袋部４０ａに入り込んだ精白米は、傾斜面４４ａを他端壁３２ａ側に向けて乗り越え、平坦面４３ａ上を斜めに他端壁３２ａ側に横滑りして落下する。
【図面の簡単な説明】
【００３９】
【図１】実施形態に係る家庭用精米機の要部横断面図
【図２】図１の家庭用精米機の全体構成図
【図３】図１の家庭用精米機のケーシングから米容器が抜き出された状態を示す全体斜視図
【図４】（ａ）図１の米容器を後方斜め上方から見た斜視図、（ｂ）図１の米容器を前方斜め上方から見た斜視図
【図５】（ａ）図１の米容器の上面図、（ｂ）図１の米容器の右側面図、（ｃ）図１の米容器の前面図
【図６】図１の要部縦断面図
【図７】（ａ）図１の米容器内から精白米を流す様子を示す使用状態図、（ｂ）図７（ａ）の様子を米容器の上面に正対する視線で示す使用状態図
【図８】（ａ）従来例の要部外観斜視図、（ｂ）図８（ａ）の米容器の要部横断面図、（ｃ）図８（ａ）の米容器内から精白米を流す様子を示す使用状態図
【符号の説明】
【００４０】
１０  精米機構
１１  精米室
１１ａ  端板
１１ｂ  糠ガイド
１２  搗精ロール
１３  精米スクリーン
１４  モータ
１５  回転軸
１６  ホッパー
１６ａ  下端排出口
１７  抵抗板
１８  調圧装置
１９  排出シュート
２０、８３  ケーシング
２１  機台
２２、８４  差込み口
２２ａ、８４ａ  側端縁
２２ｂ  下端縁
２２ｃ  中央ガイド部
２２ｄ  案内壁
２２ｅ  突出部
２２ｆ  リブ部
２３  仕切り板
２４  側板部
２５  補強部
２６  ねじボス部
２７  下端縁
３０ａ、８１  米容器
３０ｂ、８２  糠容器
３１ａ、８１ａ、８２ａ  一端壁
３２ａ、８１ｂ、８２ｂ  他端壁
２３ａ  Ｌ状部
３３ａ、８２ｃ  左側壁
３４ａ、８１ｃ  右側壁
３５ａ  凹部
３６ａ  凹入部
４０ａ、８１ｄ、８２ｄ  袋部
４１ａ  傾斜壁
４２ａ  終端辺
４３ａ  平坦面
４４ａ  傾斜面
８１ｅ  膨出壁
８５  米櫃
【図１】
2006334464.tif 000003
【図２】
2006334464.tif 000004
【図３】
2006334464.tif 000005
【図４】
2006334464.tif 000006
【図５】
2006334464.tif 000007
【図６】
2006334464.tif 000008
【図７】
2006334464.tif 000009
【図８】
2006334464.tif 000010